(57)【要約】      （修正有）【課題】光ファイバケーブルを容易に収容して配置することが可能な地中電力ケーブルを提供する。【解決手段】地下に布設される地中電力ケーブルにおいて、導体２の外側に形成される層のうちの最外層である防食層７の表面に形成された、外部に開口する溝７ａに光ファイバケーブル１０が収容されている。【選択図】図２
0003233064.tif 000002
【実用新案登録請求の範囲】
【請求項１】
地下に布設される地中電力ケーブルにおいて、
導体の外側に形成される層のうちの最外層である防食層の表面に、光ファイバケーブルを収容可能な溝が外部に開口するように形成されていることを特徴とする地中電力ケーブル。
【請求項２】
地下に布設される地中電力ケーブルにおいて、
導体の外側に形成される層のうちの最外層である防食層の表面に形成された、外部に開口する溝に光ファイバケーブルが収容されていることを特徴とする地中電力ケーブル。
【請求項３】
前記溝が、前記防食層の表面に複数形成されていることを特徴とする請求項１又は請求項２に記載の地中電力ケーブル。
【請求項４】
複数の前記溝は、そのうちの任意の２つの前記溝の間の、前記地中電力ケーブルの中心軸に直行する面で断面視した場合における中心角が、９０度以上隔たっていることを特徴とする請求項３に記載の地中電力ケーブル。
【請求項５】
前記溝は、前記地中電力ケーブルの長手方向に平行に形成されていることを特徴とする請求項１から請求項４のいずれか一項に記載の地中電力ケーブル。
【請求項６】
前記溝は、開口部の幅寸法が、収容される前記光ファイバケーブルの外径より小さく形成されており、かつ、当該溝の内部の最大の幅寸法が前記開口部の幅寸法より大きく形成されていることを特徴とする請求項１から請求項５のいずれか一項に記載の地中電力ケーブル。
【請求項７】
前記防食層は、前記地中電力ケーブルの周方向にわたって均一な厚さを有していることを特徴とする請求項１から請求項６のいずれか一項に記載の地中電力ケーブル。
【請求項８】
前記地中電力ケーブルは、電力階級で２７５ＫＶ以上の超高圧ケーブルであることを特徴とする請求項１から請求項７のいずれか一項に記載の地中電力ケーブル。
【考案の詳細な説明】
【技術分野】
【０００１】
本考案は地中電力ケーブルに関する。
【背景技術】
【０００２】
地下に布設される地中電力ケーブルとして、その内部に光ファイバケーブルが配置されたものが知られている。
この場合、光ファイバケーブルは、通信用としてのみならず、地中電力ケーブルの温度等を測定するために配置される場合もある。地中電力ケーブルにおける漏油位置を検出するために光ファイバケーブルが配置されているものもある（特許文献１参照）。
【０００３】
そして、特許文献１に記載の地中電力ケーブルでは、導体を取り巻く絶縁層や金属層を補強するための補強層に切り欠き部を設けてそこに光ファイバケーブルを配置し、その上から防食層を積層するようにして、光ファイバケーブルを地中電力ケーブルの内部に配置している。
また、特許文献２に記載の地中電力ケーブルでは、防食層を多層構造とし、防食層の層間の境界面に溝を形成してその外側にさらに防食層を積層して空孔を形成し、その空孔内に光ファイバケーブルを配置することで、光ファイバケーブルを地中電力ケーブルの内部に配置している。
【先行技術文献】
【特許文献】
【０００４】
【特許文献１】特開平６−７６６４２号公報
【特許文献２】実開昭６０−８０６１６号公報
【考案の概要】
【考案が解決しようとする課題】
【０００５】
しかしながら、補強層や防食層に形成した切り欠き部や溝に光ファイバケーブルを収容した後、さらにその外側に防食層を積層して光ファイバケーブルを地中電力ケーブルの内部に配置するのは必ずしも容易ではなく、また、製造工程としても手間が掛かっていた。
【０００６】
本考案は、上記の点を鑑みてなされたものであり、光ファイバケーブルを容易に収容して配置することが可能な地中電力ケーブルを提供することを目的とする。
【課題を解決するための手段】
【０００７】
前記の問題を解決するために、請求項１に係る考案は、
地下に布設される地中電力ケーブルにおいて、
導体の外側に形成される層のうちの最外層である防食層の表面に、光ファイバケーブルを収容可能な溝が外部に開口するように形成されていることを特徴とする。
【０００８】
請求項２に係る考案は、
地下に布設される地中電力ケーブルにおいて、
導体の外側に形成される層のうちの最外層である防食層の表面に形成された、外部に開口する溝に光ファイバケーブルが収容されていることを特徴とする。
【０００９】
請求項３に係る考案は、請求項１又は請求項２に記載の地中電力ケーブルにおいて、前記溝が、前記防食層の表面に複数形成されていることを特徴とする。
【００１０】
請求項４に係る考案は、請求項３に記載の地中電力ケーブルにおいて、複数の前記溝は、そのうちの任意の２つの前記溝の間の、前記地中電力ケーブルの中心軸に直行する面で断面視した場合における中心角が、９０度以上隔たっていることを特徴とする。
【００１１】
請求項５に係る考案は、請求項１から請求項４のいずれか一項に記載の地中電力ケーブルにおいて、前記溝は、前記地中電力ケーブルの長手方向に平行に形成されていることを特徴とする。
【００１２】
請求項６に係る考案は、請求項１から請求項５のいずれか一項に記載の地中電力ケーブルにおいて、前記溝は、開口部の幅寸法が、収容される前記光ファイバケーブルの外径より小さく形成されており、かつ、当該溝の内部の最大の幅寸法が前記開口部の幅寸法より大きく形成されていることを特徴とする。
【００１３】
請求項７に係る考案は、請求項１から請求項６のいずれか一項に記載の地中電力ケーブルにおいて、前記防食層は、前記地中電力ケーブルの周方向にわたって均一な厚さを有していることを特徴とする。
【００１４】
請求項８に係る考案は、請求項１から請求項７のいずれか一項に記載の地中電力ケーブルにおいて、前記地中電力ケーブルは、電力階級で２７５ＫＶ以上の超高圧ケーブルであることを特徴とする。
【考案の効果】
【００１５】
本考案によれば、地中電力ケーブルに光ファイバケーブルを容易に収容して配置することが可能となる。
【図面の簡単な説明】
【００１６】
【図１】本実施形態に係る地中電力ケーブルの構成を表す断面図である。
【図２】最外層である防食層の表面に形成された溝に光ファイバケーブルが収容された地中電力ケーブルを表す断面図である。
【図３】溝が地中電力ケーブルの長手方向に平行に形成された地中電力ケーブルを表す図である。
【図４】溝が長手方向に延びる螺旋状に形成された地中電力ケーブルを表す図である。
【図５】溝の開口部の幅寸法が光ファイバケーブルの外径より小さく、かつ、溝の内部の最大の幅寸法が開口部の幅寸法より大きく形成された状態を表す断面図である。
【考案を実施するための形態】
【００１７】
以下、本考案に係る地中電力ケーブルの実施の形態について、図面を参照して説明する。
ただし、以下に述べる実施形態には、本考案を実施するために技術的に好ましい種々の限定が付されているが、本考案の範囲を以下の実施形態や図示例に限定するものではない。
【００１８】
なお、以下では、導体が単心（１心）である場合について説明するが、例えば３心であってもよい。
また、以下では、最外層の防食層が１層で形成されている場合について説明するが、複数の層が積層されて防食層が形成されていてもよい。
【００１９】
図１は、本実施形態に係る地中電力ケーブルの構成を表す断面図である。
本実施形態では、地中電力ケーブル１は、導体２上に、少なくとも、内部半導電層３、絶縁層４、外部半導電層５、金属シース６及び防食層７がこの順に積層した構造を有している。
【００２０】
導体２は、銅や銅合金、アルミニウム、アルミニウム合金が好ましく用いられる。また、導体２を単線で構成することも可能であり、撚線として構成することも可能である。
内部半導電層３は、例えば、エチレン系重合体等の樹脂や導電性カーボン等の導電性物質等を含み、それらを架橋したものを用いることが可能である。
【００２１】
絶縁層４は、ポリオレフィン樹脂等を架橋したものを用いることができる。
外部半導電層５は、内部半導電層３と同様に、樹脂や導電性物質等を含み、それらを架橋したものを用いることが可能である。
金属シース６は、銅テープやアルミテープ等のテープ状の金属を絶縁層４に巻き付けたり、アルミや鉛、ＳＵＳ等を絶縁層４上に押し出して形成することが可能である。
【００２２】
防食層７は、例えば、ポリ塩化ビニル（ＰＶＣ）や架橋性ポリエチレン等を用いて形成することができる。
なお、導体２の外側に他の種々の層を形成することが可能であるが、本実施形態に係る地中電力ケーブル１では、導体２の外側に形成される層のうち最外層として防食層７が形成される。
【００２３】
本実施形態では、防食層７は、地中電力ケーブル１の周方向にわたって均一な厚さを有している。
そして、防食層７の表面には、地中電力ケーブル１の長手方向に延びる溝７ａが外部に開口するように形成されており、溝７ａには、図２に示すように、光ファイバケーブル１０を押し込んで収容することができるようになっている。
【００２４】
図３に示すように、溝７ａを、地中電力ケーブル１の長手方向に平行（地中電力ケーブル１の中心軸と略平行）に形成することが可能である。
また、図４に示すように、地中電力ケーブル１の長手方向に延びる螺旋状に形成することも可能である。
【００２５】
なお、図１〜図４等では、地中電力ケーブル１の防食層７に溝７ａが複数（４本）形成されている場合が示されているが、溝７ａは４本でなくてもよく、適宜の本数だけ設けられる。
また、溝７ａの断面形状は、光ファイバケーブル１０の断面形状にあわせて円形状に形成することが可能であるが、正方形等の多角形状であってもよい。
【００２６】
図５に示すように、溝７ａは、外部への開口部Ａの幅寸法ｗが、収容される光ファイバケーブル１０の外径ｄより小さく形成されており、かつ、当該溝７ａの内部の最大の幅寸法Ｗが開口部Ａの幅寸法ｗより大きく形成されていることが好ましい。
このように構成すると、光ファイバケーブル１０を溝７ａに押し込むと、防食層７が弾力性を有するため光ファイバケーブル１０により溝７ａの開口部Ａが押し広げられて、光ファイバケーブル１０が開口部Ａを通過することができる。そのため、光ファイバケーブル１０を溝７ａに押し込むことができる。
【００２７】
また、防食層７の弾力性のために、光ファイバケーブル１０を溝７ａに押し込んだ後、溝７ａの開口部Ａが閉じるため、押し込まれた光ファイバケーブル１０が溝７ａからはみ出さないように保持される。
このようにして、本実施形態に係る地中電力ケーブル１では、防食層７の表面に形成された溝７ａに光ファイバケーブル１０を押し込むことで、溝７ａに光ファイバケーブル１０を収容することが可能となる。
【００２８】
なお、溝７ａの開口部Ａの幅寸法ｗは、上記のように光ファイバケーブル１０を溝７ａ内に押し込むことが可能であり、押し込まれた光ファイバケーブル１０が溝７ａからはみ出さないように光ファイバケーブル１０を確実に保持することができる寸法に設計される。
また、光ファイバケーブル１０の外径ｄは、溝７ａの内部の最大の幅寸法Ｗ以下であればよいが、溝７ａの内部の最大の幅寸法Ｗより小さいと、溝７ａの中で光ファイバケーブル１０が無理な応力等を受けることがないため好ましい。
【００２９】
そのため、本実施形態では、地中電力ケーブル１は、溝７ａの開口部Ａの幅寸法ｗと、光ファイバケーブル１０の外径ｄと、溝７ａの内部の最大の幅寸法Ｗとの関係がｗ＜ｄ≦Ｗ、より好ましくはｗ＜ｄ＜Ｗになるように形成される。
また、地中電力ケーブル１を布設する際には、防食層７の溝７ａに光ファイバケーブル１０が収容された状態の地中電力ケーブル１をテープ巻きするなど通常のケーブルの布設作業で行われる処理が適宜行われる。
【００３０】
以上のように、本実施形態に係る地中電力ケーブル１によれば、最外層である防食層の表面に形成された複数の溝７ａにそれぞれ光ファイバケーブル１０を収容することができるため、光ファイバケーブル１０を溝７ａに押し込んで収容して地中電力ケーブル１に配置することが可能となる。
そのため、本実施形態では、従来の地中電力ケーブルのように光ファイバケーブルを防食層等の内部に形成する必要がないため、光ファイバケーブル１０を地中電力ケーブル１に容易に配置することが可能となるととともに、製造工程や現場での作業工程（光ファイバケーブル１０の地中電力ケーブル１への配置）を簡便に行うことが可能となる。
【００３１】
なお、光ファイバケーブル１０を地中電力ケーブル１から引き出す際には、光ファイバケーブル１０の一部を溝７ａから引き出せば、後はそれをきっかけにいわば芋づる式に光ファイバケーブル１０を溝７ａから引き出すことができる。
そのため、例えば光ファイバケーブル１０が故障した際に、その部分の光ファイバケーブル１０を地中電力ケーブル１から容易に引き出して交換する等の処理を行うことが可能となり、光ファイバケーブル１０の故障時の復旧作業を容易に行うことが可能となるといったメリットもある。
【００３２】
また、図３に示したように、溝７ａを、地中電力ケーブル１の長手方向に平行に形成すると、地中電力ケーブル１を持ち上げなくても地中電力ケーブル１が布設された状態のままで光ファイバケーブル１０を溝７ａに押し込んだり溝７ａから引き出したりすることが可能となる。そのため、光ファイバケーブル１０の溝７ａへの着脱を非常に簡便に行うことが可能となる。
【００３３】
また、図１等に示したように、地中電力ケーブル１の防食層７に溝７ａを複数形成すれば、地中電力ケーブル１に複数本の光ファイバケーブル１０を収容することが可能となる。
また、溝７ａの本数より少ない本数の光ファイバケーブル１０を収容する場合、布設された状態の地中電力ケーブル１の溝７ａのうち光ファイバケーブル１０を押し込みやすい溝７ａを選んで押し込むことができる。そのため、光ファイバケーブル１０の溝７ａへの収容を容易に行うことが可能となる。
【００３４】
その際、図１等に示したように、複数の溝７ａを、そのうちの任意の２つの溝７ａの間の、地中電力ケーブル１の中心軸に直行する面で断面視した場合における中心角が、９０度以上隔たっているように構成されていることが好ましい（図１等の場合は９０度又は１８０度）。
このように構成されていれば、地中電力ケーブル１が布設された状態で１本の溝７ａが地中電力ケーブル１の下面側に配置されて光ファイバケーブル１０の収容に使用できない状態になっても、他の溝７ａを使って光ファイバケーブル１０を収容することができるため、光ファイバケーブル１０の溝７ａへの収容を確実に行うことが可能となる。
【００３５】
一方、本実施形態のように、地中電力ケーブル１の防食層７が地中電力ケーブル１の周方向にわたって均一な厚さを有するように構成されていれば、導体２が地中電力ケーブル１の中心に配置される状態になる。
導体２が地中電力ケーブル１の中心からずれた位置に配置された状態になっていると、地中電力ケーブル２が、布設後、導体２の重さで、導体２が下側にくるように回転してしまい、光ファイバケーブル１０を収容した溝７ａが地中電力ケーブル１の下側に回り込んでしまう場合があり得る。その場合、光ファイバケーブル１０を溝７ａから引き出すことが困難になる。
【００３６】
しかし、本実施形態のように、導体２が地中電力ケーブル１の中心に配置された状態になっていれば、少なくとも、布設された地中電力ケーブル２が導体２の重さで導体２が下側にくるように回転してしまうことは防止される。
そのため、光ファイバケーブル１０を防食層７の溝７ａから引き出す際に、容易に引き出すことが可能となる。
【００３７】
また、上記のように、地中電力ケーブル１の防食層７が地中電力ケーブル１の周方向にわたって均一な厚さを有するように構成されていれば、地中電力ケーブル１を、電力階級で２７５ＫＶ以上の超高圧ケーブルとして使用することも可能となる。
地中電力ケーブル１を、２７５ＫＶ未満用のケーブルとして使用することも可能である。
【００３８】
なお、本考案が上記の実施形態等に限定されず、本考案の趣旨を逸脱しない限り、適宜変更可能であることは言うまでもない。
【符号の説明】
【００３９】
１  地中電力ケーブル
２  導体
７  防食層
７ａ  溝
１０  光ファイバケーブル
Ａ  溝の開口部
ｄ  光ファイバケーブルの外径
Ｗ  溝の内部の最大の幅寸法
ｗ  溝の開口部の幅寸法
【図１】
0003233064.tif 000003
【図２】
0003233064.tif 000004
【図３】
0003233064.tif 000005
【図４】
0003233064.tif 000006
【図５】
0003233064.tif 000007